(57)【要約】【課題】本発明は、端末周波数帯設定を自動検出する方法および端末を開示する。【解決手段】方法は：端末によって、ユーザーから前記端末の周波数帯を設定する命令を受領する段階であって、前記命令は、第一の周波数帯を前記端末によって使用されることが許される周波数帯として設定するよう前記端末に指示するために使われる、段階と；前記端末の現在位置に対応する位置情報を取得する段階と；前記端末の周波数帯構成設定情報に従って前記位置情報に対応する使用禁止周波数帯を判別する段階と；前記第一の周波数帯が前記使用禁止周波数帯に属するかどうかを判定する段階と；そうである場合、前記命令に対応する設定を拒否し、そうでない場合、前記第一の周波数帯を前記端末によって使用されることが許される周波数帯として設定する段階とを含む。本発明の実施形態によって提供される方法および端末では、ユーザーによる端末の周波数帯の不適切な設定がネットワークにおけるシステム資源の消費増を引き起こす事例が回避できる。【選択図】図１
2013168923.tif 000002
【特許請求の範囲】
【請求項１】
端末周波数帯設定を自動検出する方法であって：
端末によって、ユーザーから前記端末の周波数帯を設定する命令を受領する段階であって、前記命令は、第一の周波数帯を前記端末によって使用されることが許される周波数帯として設定するよう前記端末に指示するために使われる、段階と；
前記端末の現在位置に対応する位置情報を取得する段階と；
前記端末の周波数帯構成設定情報に従って前記位置情報に対応する使用禁止周波数帯を判別する段階と；
前記第一の周波数帯が前記使用禁止周波数帯に属するかどうかを判定する段階と；
そうである場合、前記命令に対応する設定を拒否し、そうでない場合、前記第一の周波数帯を前記端末によって使用されることが許される周波数帯として設定する段階とを含む、
方法。
【請求項２】
請求項１記載の方法であって、前記端末の周波数帯構成設定情報に従って前記位置情報に対応する使用禁止周波数帯を判別する前記段階の前に、当該方法がさらに：
前記位置情報が第一の事前設定位置情報であるかどうかを判定する段階と；
前記位置情報が前記第一の事前設定位置情報である場合に、前記端末の周波数帯構成設定情報に従って前記位置情報に対応する使用禁止周波数帯を判別する段階を含む、
方法。
【請求項３】
前記第一の事前設定位置情報が事前設定された国情報である、請求項２記載の方法。
【請求項４】
請求項１ないし３のうちいずれか一項記載の方法であって、前記位置情報がモバイル国コードMMC値であり、
前記端末の現在位置に対応する位置情報を取得する前記段階が特に：
前記端末によってサポートされる周波数帯でセルを探し、該セルがみつかった場合に該セルのブロードキャスト・メッセージから前記MCC値を得ることである、
方法。
【請求項５】
請求項１ないし３のうちいずれか一項記載の方法であって、前記位置情報は衛星測位位置情報であり、
前記端末の現在位置に対応する位置情報を取得する前記段階が特に：
衛星測位システムによって前記端末の衛星測位位置情報を取得することである、
方法。
【請求項６】
請求項１ないし５のうちいずれか一項記載の方法であって、前記命令に対応する設定の前記拒否ののち、当該方法はさらに：設定が正しくないことをユーザーにプロンプトするおよび／または設定し直すようユーザーにプロンプトする段階を含む、方法。
【請求項７】
端末周波数帯設定を自動検出する端末であって：
ユーザーから当該端末の周波数帯を設定する命令を受領するよう構成された受領モジュールであって、前記命令は、第一の周波数帯を当該端末によって使用されることが許される周波数帯として設定するよう当該端末に指示するために使われる、受領モジュールと；
当該端末の位置情報を取得するよう構成された位置情報取得モジュールと；
当該端末の周波数帯構成設定情報に従って前記位置情報に対応する使用禁止周波数帯を判別するよう構成されたパラメータ照合モジュールと；
前記第一の周波数帯が前記使用禁止周波数帯に属するかどうかを判定するよう構成された判定モジュールと；
前記判定モジュールが前記第一の周波数帯が前記使用禁止周波数帯に属すると判定する場合、前記命令に対応する設定を拒否し、前記判定モジュールが前記第一の周波数帯が前記使用禁止周波数帯に属さないと判定する場合、前記第一の周波数帯を当該端末によって使用されることが許される周波数帯として設定するよう構成された周波数帯設定モジュールとを有する、
端末。
【請求項８】
請求項７記載の端末であって、さらに：
事前設定位置情報を記憶し、設定するよう構成された事前設定位置情報モジュールと；
前記位置情報が前記事前設定位置情報内の第一の事前設定位置情報であるかどうかを判定するよう構成された位置判定モジュールを有しており、
前記パラメータ照合モジュールが特に、前記位置判定モジュールが前記位置情報が前記第一の事前設定位置情報であると判定する場合に前記端末の周波数帯構成設定情報に従って前記位置情報に対応する使用禁止周波数帯を判別するよう構成されている、
端末。
【請求項９】
前記事前設定位置情報が事前設定された国情報である、請求項８記載の端末。
【請求項１０】
請求項７ないし９のうちいずれか一項記載の端末であって、前記位置情報がモバイル国コードMMC値であり、
前記端末がさらに：
前記端末によってサポートされる周波数帯を探索するよう構成されたネットワーク探索モジュールと；
前記位置情報取得モジュールが、前記ネットワーク探索モジュールが前記端末によってサポートされる周波数帯を探索してセルを見出した場合に、該セルのブロードキャスト・メッセージから前記MCC値を得るよう構成されている、
端末。
【請求項１１】
請求項７ないし９のうちいずれか一項記載の端末であって、前記位置情報は衛星測位位置情報であり、
前記位置情報取得モジュールが特に、衛星測位システムによって前記端末の衛星測位位置情報を取得するよう構成されている、
端末。
【請求項１２】
請求項７ないし１１のうちいずれか一項記載の端末であって、前記周波数帯設定モジュールが前記命令に対応する設定を拒否したのち、設定が正しくないことをユーザーにプロンプトするおよび／または設定し直すようユーザーにプロンプトするよう構成されたプロンプト・モジュールを有する、端末。
【請求項１３】
請求項１ないし６のうちいずれか一項記載の方法をコンピュータに実行させるプログラムが記録されたコンピュータ可読記憶媒体。
【発明の詳細な説明】
【技術分野】
【０００１】
本発明は、電子技術の分野に、特に端末周波数帯設定を自動検出するための方法および端末に関する。
【背景技術】
【０００２】
世界規模の無線通信サービスの多様化と複雑化により、事業者は端末に対するますます高い要求に直面しており、端末についての一連の新たな複雑な要求を進めている。
【０００３】
事業者Sは位置Tにおいて三つの周波数帯A/B/Cの利用可能なネットワークをもち、C周波数帯ネットワークが過負荷にならないことを保証するため、カスタマイズされた端末はA/B周波数帯ネットワークのみを使うことが要求され、位置TではC周波数帯ネットワークを使うことは許されない。一方、位置Tにおいてユーザーが端末上で周波数帯を設定して、C周波数帯を利用可能と設定する場合には、端末は位置TにおいてC周波数帯ネットワークを使うことができるようにされる。
【０００４】
従来技術では、位置Tにおいてユーザーが端末上で周波数帯を設定し、C周波数帯を利用可能と設定したのちは、端末が探索後にC周波数帯を見出してC周波数帯で登録しようとするとき、ネットワーク側は端末が制約された端末であるかどうかを識別する。それが制約された端末である場合、該制約された端末はアクセスを拒否され、そのためその端末は位置TにおいてC周波数帯を使うことを制約される。ネットワーク側が制約された端末を判別する必要があるので、ネットワーク側システム資源の消費が増す。
【発明の概要】
【発明が解決しようとする課題】
【０００５】
従来技術では、ユーザーによる不適正な周波数帯設定がネットワーク側でのシステム資源の消費増を引き起こしている。
【課題を解決するための手段】
【０００６】
本発明の諸実施形態は、ユーザーによる不適正な周波数帯設定がネットワーク側でのシステム資源の消費増を引き起こすという問題を解決するよう、端末周波数帯設定を自動検出する方法および端末を提供する。
【０００７】
一方では、本発明のある実施形態は、端末周波数帯設定を自動検出する方法であって：
端末によって、ユーザーから前記端末の周波数帯を設定する命令を受領する段階であって、前記命令は、第一の周波数帯を前記端末によって使用されることが許される周波数帯として設定するよう前記端末に指示するために使われる、段階と；
前記端末の現在位置に対応する位置情報を取得する段階と；
前記端末の周波数帯構成設定情報に従って前記位置情報に対応する使用禁止周波数帯を判別する段階と；
前記第一の周波数帯が前記使用禁止周波数帯に属するかどうかを判定する段階と；
そうである場合、前記命令に対応する設定を拒否し、そうでない場合、前記第一の周波数帯を前記端末によって使用されることが許される周波数帯として設定する段階とを含む、
方法を提供する。
【０００８】
他方では、本発明のある実施形態は、端末周波数帯設定を自動検出する端末であって：
ユーザーから当該端末の周波数帯を設定する命令を受領するよう構成された受領モジュールであって、前記命令は、第一の周波数帯を当該端末によって使用されることが許される周波数帯として設定するよう当該端末に指示するために使われる、受領モジュールと；
当該端末の位置情報を取得するよう構成された位置情報取得モジュールと；
当該端末の周波数帯構成設定情報に従って前記位置情報に対応する使用禁止周波数帯を判別するよう構成されたパラメータ照合モジュールと；
前記第一の周波数帯が前記使用禁止周波数帯に属するかどうかを判定するよう構成された判定モジュールと；
前記判定モジュールが前記第一の周波数帯が前記使用禁止周波数帯に属すると判定する場合、前記命令に対応する設定を拒否し、前記判定モジュールが前記第一の周波数帯が前記使用禁止周波数帯に属さないと判定する場合、前記第一の周波数帯を前記端末によって使用されることが許される周波数帯として設定するよう構成された周波数帯設定モジュールとを有する、
端末を提供する。
【発明の効果】
【０００９】
従来技術に比べ、本発明の実施形態は以下の有利な効果をもつ。
【００１０】
本発明の実施形態によって提供される方法および端末では、ユーザーによる端末の周波数帯の設定の有効性が端末の位置に従って自動的に検出されることができ、ユーザーが端末の周波数帯を不適正に設定したのちに端末が、その位置でのその端末による使用禁止周波数帯を使う事例が避けられる。ユーザーが端末の周波数帯を不適正に設定したのち、ネットワーク側は制約された端末を判別することが要求されず、再構成されることが要求されず、それによりネットワーク側を再構成するコストを節減し、ネットワーク側でのシステム資源の消費を節約し、ネットワーク運用コストを低下させる。
【図面の簡単な説明】
【００１１】
本発明の技術的解決策を一層明瞭にするため、本発明の実施形態を記載する付属の図面について下記で簡単に紹介する。明らかに、以下の説明における付属の図面は単に本発明のいくつかの実施形態を示すものである。当業者は、創造的な努力なしでもこれらの付属の図面に基づいてさらに他の図面を導出しうる。
【図１】本発明のある実施形態に基づく、端末周波数帯設定を自動検出する方法のフローチャートである。
【図２】本発明のある実施形態に基づく、端末周波数帯設定を自動検出するもう一つの方法のフローチャートである。
【図３】本発明のある実施形態に基づく、端末周波数帯設定を自動検出するもう一つの方法のフローチャートである。
【図４】本発明のある実施形態に基づく、端末周波数帯設定を自動検出する端末の概略的な構造図である。
【図５】本発明のある実施形態に基づく、端末周波数帯設定を自動検出するもう一つの端末の概略的な構造図である。
【発明を実施するための形態】
【００１２】
本発明の実施形態の技術的解決策について、以下で付属の図面を参照して明確かつ十全に述べる。明らかに、記述される実施形態は単に本発明のいくつかの例示的な実施形態であり、本発明の全実施形態ではない。創造的な努力なしに本発明のこれらの実施形態に基づいて当業者によって得られる他のあらゆる実施形態は本発明の保護範囲内にはいる。
【００１３】
本発明における使用禁止周波数帯は、事業者が端末に使用を禁止する周波数帯であってもよい。
【００１４】
図１に示されるように、本発明によって提供される端末周波数帯設定を自動検出する方法のある実施形態では、本方法は以下のステップを含んでいてもよい。
１１０：端末が、ユーザーから前記端末の周波数帯を設定する命令を受領する。前記命令は、第一の周波数帯を前記端末によって使用されることが許される周波数帯として設定するよう前記端末に指示するために使われる。
１２０：前記端末の現在位置に対応する位置情報を取得する。
１３０：前記端末の周波数帯構成設定情報に従って前記位置情報に対応する使用禁止周波数帯を判別する。
１４０：前記第一の周波数帯が前記使用禁止周波数帯に属するかどうかを判定し、そうである場合には、ステップ１５０を実行し、そうでない場合にはステップ１６０を実行する。
【００１５】
１５０：前記命令に対応する設定を拒否する。
端末は、受領されたユーザーの命令に対応する設定を拒否する。該対応する設定とは、第一の周波数帯を端末によって使用されることが許される周波数帯として設定することをいう。前記命令に対応する設定を拒否するとは、端末が、第一の周波数帯を端末によって使用されることが許される周波数帯として設定することを拒否することを意味する。すなわち、端末は、前記命令に対応する設定を受け入れないまたは該設定を実行しない。
【００１６】
１６０：前記第一の周波数帯を前記端末によって使用されることが許される周波数帯として設定する。
【００１７】
この実施形態によって提供される方法では、端末側で、ユーザーによる端末の周波数帯の設定の有効性が、端末の位置に基づいて自動検出されることができ、ユーザーが端末の周波数帯を不適正に設定したのちに端末がその位置でその端末による使用禁止周波数帯を使う事例が回避できる。そのうえ、ネットワーク側は制約された端末を判別することが要求されず、それによりネットワーク側でのシステム資源の消費が節減され、ネットワーク運用コストが低下する。
【００１８】
図２に示されるように、本発明によって提供される端末周波数帯設定を自動検出する方法のある実施形態では、本方法はさらに以下のステップを含んでいてもよい。
２１０：前記位置情報が第一の事前設定位置情報であるかどうかを判定し、そうであればステップ１３０を実行し、そうでなければステップ２２０を実行する。
２２０：プロセスを終了する。
【００１９】
この実施形態に適用可能なシナリオは、事業者が、一つまたは複数の事前設定位置において一つまたは複数の周波数帯を使うことについて端末を制約するだけであり、端末が前記一つまたは複数の事前設定位置にないときは周波数帯の使用は制約されないというものである。前記第一の事前設定位置情報は、前記一つまたは複数の事前設定位置の間の一つの事前設定位置の位置情報であってもよい。
【００２０】
端末が前記一つまたは複数の事前設定位置にないときは、プロセスはすぐ終了できる。端末が前記一つまたは複数の事前設定位置にあるときのみ、その後の動作が実行される。このようにして、本方法のプロセスは簡略化され、端末の電力消費が軽減される。
【００２１】
本発明によって提供される端末周波数帯設定を自動検出する方法のある実施形態では、事前設定位置は事前設定された国であってもよく、前記第一の事前設定位置情報は、事前設定された国の情報、たとえば事前設定された国のモバイル国コード（MCC:  mobile  country  code）値または事前設定された国の名前であってもよい。
【００２２】
本発明によって提供される端末周波数帯設定を自動検出する方法のある実施形態では、位置情報はモバイル国コードMCC値であってもよく、ステップ１２０は具体的には：端末によってサポートされる周波数帯でセルを探索し、該セルがみつかった場合に該セルのブロードキャスト・メッセージからMCC値を得ることであってもよい。
【００２３】
MCC（モバイル国コード）とは、モバイル国番号またはモバイル国コードをいい、世界的に一意的な国識別標準であり、モバイル・ユーザーまたはシステムが属する国を示す。各国に対応するMCC値は固定されており、一意的であり、よって、MCC値を得ることによって、端末は、どの国に位置しているかを正確に決定できる。
【００２４】
図３に示されるように、本発明によって提供される端末周波数帯設定を自動検出する方法のある実施形態では、ステップ１２０は特に以下のステップを含んでいてもよい。
１２０１：端末が、該端末によって現在サポートされている周波数帯を探索する。
１２０２：セルが見出されたかどうかを判定し、セルが見出された場合にはステップ１２０３を実行し、セルが見出されない場合にはステップ１２０１を実行する。
【００２５】
ステップ１２０１では、端末は、ネットワークの探索または周波数帯の探索のステップに関係する既存のプロトコルに従って、該端末によって現在サポートされている周波数帯を探索してもよい。たとえば、端末によって現在サポートされている周波数帯のうちの第一の周波数帯が最初に探索される。端末によって現在サポートされている周波数帯のうちの第一の周波数帯においてセルが見出されない場合、端末によって現在サポートされている周波数帯のうちの次の周波数帯、すなわち第二の周波数帯が探索される。それでもセルが見出されない場合、セルが見出されるまで第三の周波数帯が探索され、次いでステップ１２０３が実行される。そうでない場合には、ステップ１２０１が巡回的に実行されて、端末によって現在サポートされている周波数帯を探索する。
【００２６】
１２０３：MCC値を取得する。
【００２７】
MCC値はセルのブロードキャスト・メッセージから得られてもよいし、あるいは他の一般的な手段によって得られてもよい。これは本発明の実施形態では限定されない。セルのブロードキャスト・メッセージはセルが属するPLMN（Public  Land  Mobile  Network［公共地上モバイル・ネットワーク］）の情報を担持し、PLMNの情報はMCC値の情報を含む。それにより、MCC値はセルのブロードキャスト・メッセージから得ることができる。
【００２８】
得られたMCC値を通じて端末の位置が決定されてもよい。たとえば、中国のMCC値は460であり、得られたMCC値はしかるべく決定される。値が460に等しければ、端末の位置は中国内であり、そうでなければ、端末の位置は中国内ではない。
【００２９】
本発明によって提供される端末周波数帯設定を自動検出する方法のある実施形態では、位置情報は衛星測位位置情報であってもよく、ステップ１２０は具体的には：衛星測位システムによる端末の衛星測位位置情報を得ることであってもよい。
【００３０】
衛星測位位置情報はGPS測位位置情報であっても、または衛星による測位を通じた他の位置情報であってもよい。GPS（Global  Positioning  System［全地球測位システム］）とは、地球規模の測位システムを指し、地球規模のリアルタイムの測位を実行できる。既存の端末はGPS機能をサポートでき、GPSによって端末の位置を測位できる。衛星測位位置情報は、位置情報によって示される、端末がどの国の中に位置しているかを得るために、国の境界位置データと比較されてもよい。
【００３１】
本発明によって提供される端末周波数帯設定を自動検出する方法のある実施形態では、本方法はさらに以下のステップを含んでいてもよい。
【００３２】
２３０：設定が正しくないことをユーザーにプロンプトするおよび／またはユーザーに設定し直すようプロンプトする。
【００３３】
受領されたユーザーの命令に対応する設定を端末が拒否したのち、端末は、設定が正しくないことをユーザーにプロンプトするおよび／またはユーザーに設定し直すようプロンプトする。ユーザーが端末の周波数帯を不適正に設定したのちに端末が、その位置での端その末による使用禁止周波数帯を使う事例が避けるためである。一方、端末はユーザーに設定が不適正であることをプロンプトする。それにより、ユーザーに、周波数帯を適正に設定し、ユーザーの経験を改善するよう促す。
【００３４】
本発明によって提供される端末周波数帯設定を自動検出する方法のある実施形態では、端末の周波数帯構成設定情報は、位置と端末の周波数帯との間の対応であってもよい。これは、端末の位置とその位置で使用されることが許される周波数帯との間の対応、および／または、端末の位置とその位置での使用禁止周波数帯との間の対応を含む。前記構成設定情報が端末の位置とその位置で使用されることが許される周波数帯との間の対応である場合、その位置での使用禁止周波数帯はその位置で使用されることが許される周波数帯に属さない。前記構成設定情報が端末の位置とその位置での使用禁止周波数帯との間の対応である場合、その位置で使用されることが許される周波数帯はその位置での使用禁止周波数帯に属さない。
【００３５】
本発明のある実施形態はさらに、端末周波数帯設定を自動検出する端末を提供する。図４に示されるように、本発明によって提供される端末のある実施形態では、当該端末は：
ユーザーから当該端末の周波数帯を設定する命令を受領するよう構成された受領モジュール４１０であって、前記命令は、第一の周波数帯を当該端末によって使用されることが許される周波数帯として設定するよう当該端末に指示するために使われる、受領モジュールと；
当該端末の位置情報を取得するよう構成された位置情報取得モジュール４２０と；
当該端末の周波数帯構成設定情報に従って前記位置情報に対応する使用禁止周波数帯を判別するよう構成されたパラメータ照合モジュール４３０と；
前記第一の周波数帯が前記使用禁止周波数帯に属するかどうかを判定するよう構成された判定モジュール４４０と；
前記判定モジュールが前記第一の周波数帯が前記使用禁止周波数帯に属すると判定する場合、前記命令に対応する設定を拒否し、前記判定モジュールが前記第一の周波数帯が前記使用禁止周波数帯に属さないと判定する場合、前記第一の周波数帯を前記端末によって使用されることが許される周波数帯として設定するよう構成された周波数帯設定モジュール４５０とを含む。
【００３６】
本発明の実施形態によって提供される端末では、ユーザーによる端末の周波数帯の設定の有効性が、端末の位置に基づいて自動検出されることができ、ユーザーが端末の周波数帯を不適正に設定したのちに端末がその位置でその端末による使用禁止周波数帯を使う事例が回避できる。そのうえ、ネットワーク側は制約された端末を判別することが要求されず、それによりネットワーク側でのシステム資源の消費が節減され、ネットワーク運用コストが低下する。
【００３７】
図５に示されるように、本発明によって提供される端末周波数帯設定を自動検出する端末のある実施形態では、当該端末はさらに：
事前設定位置情報を記憶し、設定するよう構成された事前設定位置情報モジュール５１０と；
位置情報が事前設定位置情報内の第一の事前設定位置情報であるかどうかを判定するよう構成された位置判定モジュール５２０と；
位置判定モジュール５２０が位置情報が第一の事前設定位置情報であると判定するとき、当該端末の周波数帯構成設定情報に従って前記位置情報に対応する使用禁止周波数帯を判別するよう特に構成されている、パラメータ照合モジュール４３０とを含む。
【００３８】
この実施形態に適用可能なシナリオは、事業者が、一つまたは複数の事前設定位置において一つまたは複数の周波数帯を使うことについて端末を制約するだけであり、端末が前記一つまたは複数の事前設定位置にないときは周波数帯の使用は制約されないというものである。前記第一の事前設定位置情報は、前記一つまたは複数の事前設定位置の間の一つの事前設定位置の位置情報であってもよい。端末が前記一つまたは複数の事前設定位置にあるときにのみ、その後の動作が実行される。このようにして、本方法のプロセスが簡略化され、端末の電力消費が軽減される。
【００３９】
本発明によって提供される端末周波数帯設定を自動検出する端末のある実施形態では、事前設定位置は事前設定された国情報であってもよく、前記第一の事前設定位置情報は、事前設定された国の情報であってもよい。
【００４０】
図５に示されるように、本発明によって提供される端末周波数帯設定を自動検出する端末のある実施形態では、位置情報はモバイル国コードMCC値であってもよく、端末はさらに：
端末によってサポートされる周波数帯を探索するよう構成されたネットワーク探索モジュール５３０を含む。該周波数帯を探索する具体的なプロセスについては、方法実施形態の対応する部分を参照でき、詳細はここでは繰り返して述べはしない。
【００４１】
位置情報取得モジュール４２０は特に、ネットワーク探索モジュール５３０が端末によってサポートされる周波数帯を探索してセルを見出した場合、セルのブロードキャスト・メッセージからMCC値を得るよう構成される。MCC値については、方法実施形態の関連する部分を参照でき、詳細はここでは繰り返して述べはしない。
【００４２】
任意的に、MCC値はセルのブロードキャスト・メッセージから得られてもよいし、あるいは他の一般的な手段によって得られてもよい。これは本発明の実施形態では限定されない。セルのブロードキャスト・メッセージはセルが属するPLMN（Public  Land  Mobile  Network［公共地上モバイル・ネットワーク］）の情報を担持し、PLMNの情報はMCC値の情報を含む。それにより、MCC値はセルのブロードキャスト・メッセージから得ることができる。
【００４３】
本発明によって提供される端末周波数帯設定を自動検出する端末のある実施形態では、位置情報は衛星測位位置情報であってもよい。位置情報取得モジュールは特に、衛星測位システムによる端末の衛星測位位置情報を得るよう構成される。
【００４４】
衛星測位位置情報はGPS測位位置情報であっても、または衛星による測位を通じた他の位置情報であってもよい。衛星測位位置情報は、位置情報によって示される、端末がどの国の中に位置しているかを得るために、国の境界位置データと比較されてもよい。GPSについては、方法実施形態を参照でき、詳細はここでは繰り返して述べはしない。
【００４５】
図５に示されるように、本発明によって提供される端末周波数帯設定を自動検出する端末のある実施形態では、当該端末はさらにプロンプト・モジュール５４０を含む。プロンプト・モジュール５４０は、周波数帯設定モジュール４５０が前記命令に対応する設定を拒否したのち、設定が正しくないことをユーザーにプロンプトするおよび／またはユーザーに設定し直すようプロンプトするよう構成される。プロンプト・モジュール５４０によって達成される有益な効果については、方法実施形態のステップ２３０における関連する記述を参照してもよく、詳細はここでは繰り返して述べはしない。
【００４６】
本発明によって提供される端末周波数帯設定を自動検出する端末のある実施形態では、端末の周波数帯構成設定情報は、端末の位置と周波数帯との間の対応であってもよい。これは、端末の位置とその位置で使用されることが許される周波数帯との間の対応、および／または、端末の位置とその位置での使用禁止周波数帯との間の対応を含む。前記構成設定情報が端末の位置とその位置で使用されることが許される周波数帯との間の対応である場合、その位置での使用禁止周波数帯はその位置で使用されることが許される周波数帯に属さない。前記構成設定情報が端末の位置とその位置での使用禁止周波数帯との間の対応である場合、その位置で使用されることが許される周波数帯はその位置での使用禁止周波数帯に属さない。
【００４７】
当業者は、上記のいずれかの実施形態において特定されている方法のステップの全部または一部が、関連するハードウェアに指令するプログラムによって実装されてもよいことを理解するはずである。該プログラムは、FLASHまたはEEPROMのような、端末によって読み取ることができる記憶媒体に記憶されていてもよい。プログラムが走るとき、プログラムが上記のステップの全部または一部を実行する。
【００４８】
本発明の目的、技術的解決策および有利な効果は個別的な実装を通じて詳細に記載されている。異なる実施形態を組み合わせることができ、上記の実施形態は単に本発明の具体的な実装であって本発明の保護範囲を限定することを意図したものではないことは理解しておくべきである。本発明の精神および原理から外れないいかなる組み合わせ、修正、等価物による置換および改善も本発明の保護範囲内にはいる。
【符号の説明】
【００４９】
１１０  端末が、ユーザーから端末の周波数帯を設定する命令を受領する。前記命令は、第一の周波数帯を端末によって使用されることが許される周波数帯として設定するよう端末に指示するために使われる
１２０  端末の現在位置に対応する位置情報を取得
１３０  端末の周波数帯構成設定情報に従って前記位置情報に対応する使用禁止周波数帯を判別
１４０  第一の周波数帯が使用禁止周波数帯に属するか？
１５０  前記命令に対応する設定を拒否
１６０  第一の周波数帯を端末によって使用されることが許される周波数帯として設定
２１０  前記位置情報が第一の事前設定位置情報であるかどうか？
２２０  プロセスを終了
２３０  設定が不適切であるとユーザーにプロンプトを出すおよび／または再設定するようユーザーにプロンプトを出す
４１０  受領モジュール
４２０  位置情報取得モジュール
４３０  パラメータ照合モジュール
４４０  判定モジュール
４５０  周波数帯設定モジュール
５１０  事前設定位置情報モジュール
５２０  位置決定モジュール
５３０  ネットワーク探索モジュール
５４０  プロンプト・モジュール
１２０１  端末が、該端末によって現在サポートされている周波数帯を探索
１２０２  セルが見出されたか？
１２０３  MCC値を取得
【図１】
2013168923.tif 000003
【図２】
2013168923.tif 000004
【図３】
2013168923.tif 000005
【図４】
2013168923.tif 000006
【図５】
2013168923.tif 000007